(57)【要約】【課題】収容箱の緩衝性を損なうことなく、コストダウンを図る。【解決手段】収容箱は、連続した複数の壁部１２Ａ〜１２Ｄからなる両端開口４４，４５の枠体１１と、枠体１１内に配置されるパッド４７とを備える。枠体１１は、下端開口４５から上端開口４４へ向けて延びる内板部１７Ａ〜１７Ｄを有する。パッド４７は、枠体１１内に上端開口４４から配置され、内板部１７Ａ〜１７Ｄの外面側に挿入して係止される係止片５８を有する。【選択図】図２
2015174676.tif 000002
【特許請求の範囲】
【請求項１】
連続した複数の壁部からなる両端開口の枠体と、前記枠体内に配置されるパッドとを備え、前記枠体と前記パッドとがそれぞれ連続したシートを折り曲げて形成される収容箱であって、
前記枠体は、前記壁部のうち２以上の壁部が、一端開口側から他端開口側へ向けて延びる内板部を有し、
前記パッドは、前記枠体内に前記他端開口側から配置され、前記内板部の外面側に挿入して係止される少なくとも一対の係止片を有する
ことを特徴とする収容箱。
【請求項２】
前記枠体の壁部は、外板部と、前記外板部の内側に配置される中板部と、前記中板部の内側に配置される前記内板部とを有することを特徴とする請求項１に記載の収容箱。
【請求項３】
前記パッドは、第１物品配置部と、前記第１物品配置部の横に位置する第２物品配置部とを有し、前記第１および第２物品配置部の間に一対の屈曲板を含む支柱部を有することを特徴とする請求項１または請求項２に記載の収容箱。
【発明の詳細な説明】
【技術分野】
【０００１】
本発明は、緩衝性が良好な収容箱に関する。
【背景技術】
【０００２】
特許文献１には、上端開口の箱本体と、箱本体内に配置されるパッドとを備える収容箱が記載されている。パッドは、箱本体の側壁に沿って延びる一対の脚板と、これら脚板に対して平行に延びる中間脚板とを有する。
【０００３】
この収容箱は、パッドの各脚板を箱本体の底壁上に配置し、パッドに物品を配置することにより、物品を底壁に干渉させることなく、浮かせた状態で収容できる。収容箱は、外力によって物品に加わる衝撃の緩衝性については問題ないが、コスト面において改善の要求がある。
【先行技術文献】
【特許文献】
【０００４】
【特許文献１】特開２００７−２３８１１４号公報
【発明の概要】
【発明が解決しようとする課題】
【０００５】
本発明は、緩衝性を損なうことなく、コストダウンを図ることが可能な収容箱を提供することを課題とする。
【課題を解決するための手段】
【０００６】
前記課題を解決するため、本発明の収容箱は、連続した複数の壁部からなる両端開口の枠体と、前記枠体内に配置されるパッドとを備え、前記枠体と前記パッドとがそれぞれ連続したシートを折り曲げて形成される収容箱であって、前記枠体は、前記壁部のうち２以上の壁部が、一端開口側から他端開口側へ向けて延びる内板部を有し、前記パッドは、前記枠体内に前記他端開口側から配置され、前記内板部の外面側に挿入して係止される係止片を有する。
【０００７】
この収容箱は、従来の箱本体に相当する部材が、底壁が無い両端開口の枠体からなる。よって、底壁分のブランク面積を削減できるため、コストダウンを図ることができる。また、パッドは、係止片を枠体の内板部に係止することにより、宙吊り状態で配置されるため、外力によって物品に加わる衝撃の緩衝性を損なうことはない。
【０００８】
前記枠体の壁部は、外板部と、前記外板部の内側に配置される中板部と、前記中板部の内側に配置される前記内板部とを有する。このようにすれば、枠体の剛性を高めることができる。また、前記パッドは、第１物品配置部と、前記第１物品配置部の横に位置する第２物品配置部とを有し、前記第１および第２物品配置部の間に一対の屈曲板を含む支柱部を有する。このようにすれば、枠体の対向する壁部間に支柱部が配置されるため、枠体の横方向の剛性を更に高めることができる。
【発明の効果】
【０００９】
本発明の収容箱は、パッドの係止片を枠体の内板部に係止し、枠体内にパッドを宙吊り状態で配置するため、緩衝性を損なうことはない。また、本発明の収容箱は、底壁が無い両端開口の枠体にパッドを配設するため、ブランク面積を削減し、コストダウンを図ることができる。
【図面の簡単な説明】
【００１０】
【図１】本発明の第１実施形態の収容箱を示す分解斜視図。
【図２】第１実施形態の収容箱を示す断面図。
【図３】（Ａ）は枠体のブランクを示す平面図、（Ｂ）はパッドのブランクを示す平面図。
【図４】第２実施形態の収容箱を示す断面図。
【図５】第３実施形態の収容箱を示す斜視図。
【発明を実施するための形態】
【００１１】
以下、本発明の実施の形態を図面を参照して説明する。
【００１２】
（第１実施形態）
図１および図２は、本発明の第１実施形態に係る収容箱１０を示す。この収容箱１０は、上下両端を開口した枠体１１と、枠体１１内に宙吊り（架設）状態で配設されるパッド４７とを備える。パッド４７に物品を浮かせた状態で配置することにより、収容箱１０に加わる外力によって物品に加わる衝撃を緩衝する。枠体１１とパッド４７とは、紙製の段ボールシートを周知の紙器打抜装置によって、図３（Ａ），（Ｂ）に示す一枚のブランクシートとしてそれぞれ打ち抜いて形成される。
【００１３】
なお、段ボールシートは、表ライナおよび裏ライナの間に波状の中しんを配設した周知の構成である。以下の説明では、必要に応じて特定の方向や位置を示す用語（例えば、「上」、「下」、「側」、「端」、「天」、「底」を含む用語）を用いるが、それらの用語の使用は図面を参照した発明の理解を容易にするためであって、それらの用語の意味によって本発明の技術的範囲が限定されるものではない。
【００１４】
図３（Ａ）に示すように、枠体１１は、組立状態で四角筒状をなす４面の壁部１２Ａ〜１２Ｄを備え、これらが横方向に連設されている。本実施形態の壁部１２Ａ〜１２Ｄは、外板部１３Ａ〜１３Ｄと、上板部１４Ａ〜１４Ｄと、中板部１５Ａ〜１５Ｄと、下板部１６Ａ〜１６Ｄと、内板部１７Ａ〜１７Ｄとを備え、これらが縦方向に連設されている。
【００１５】
具体的には、上下方向の中央に外板部１３Ａ〜１３Ｄが横方向に連設されている。各外板部１３Ａ〜１３Ｄの各境界部分には、裏ライナの側から罫を入れて形成した汎用罫線からなる折曲線１８が設けられている。外板部１３Ａ〜１３Ｄの上端中央には、上板部１４Ａ〜１４Ｄを経由して中板部１５Ａ〜１５Ｄにかけて延びるように、積み重ね用の位置決め凸部１９が突設されている。この位置決め凸部１９と上板部１４Ａ〜１４Ｄおよび中板部１５Ａ〜１５Ｄとは、略Ｕ字状をなすように裏ライナから表ライナにかけて刃を入れて形成した切断線２０により区画されている。また、位置決め凸部１９に対して縦方向に対応する外板部１３Ａ〜１３Ｄの下部中央には、下板部１６Ａ〜１６Ｄを経由して内板部１７Ａ〜１７Ｄにかけて延びるように、積み重ね用の凹所形成部２１が設けられている。この凹所形成部２１は、一対の打抜部２２と、４本の汎用罫線からなる折曲線２３ａ〜２３ｄとを備える。打抜部２２は、外板部１３Ａ〜１３Ｄから内板部１７Ａ〜１７Ｄにかけて縦方向に延びる長円形状のスリットからなる。折曲線２３ａ〜２３ｄは、打抜部２２，２２間にかけて横方向に延びるように設けられている。そのうち、一対の折曲線２３ａ，２３ｂは外板部１３Ａ〜１３Ｄの範囲内に位置し、他の一対の折曲線２３ｃ，２３ｄは下板部１６Ａ〜１６Ｄの範囲内に位置するように設けられている。
【００１６】
外板部１３Ａ〜１３Ｄの上縁には、位置決め凸部１９の両側に位置するように上板部１４Ａ〜１４Ｄが連設されている。組立状態で上板部１４Ａ〜１４Ｄは、外板部１３Ａ〜１３Ｄの上端から屈曲して内向きに延びるように折り曲げられる。上板部１４Ａ〜１４Ｄと外板部１３Ａ〜１３Ｄの境界部分には、切断線２０の両端から横方向外向きに延びるように、折曲性を向上するための折曲線２４が設けられている。この折曲線２４は、汎用罫線に沿ってミシン目状をなすように切断線を設けたリード罫からなる。また、横方向に隣接する上板部１４Ａ〜１４Ｄの境界部分には、組立状態での干渉を防止するための打抜部２５が設けられている。この打抜部２５は、外板部１３Ａ〜１３Ｄの境界に設けた折曲線１８の端部を頂角とする逆直角二等辺三角形状に形成されている。
【００１７】
上板部１４Ａ〜１４Ｄの上縁には、中板部１５Ａ〜１５Ｄが連設されている。組立状態で中板部１５Ａ〜１５Ｄは、上板部１４Ａ〜１４Ｄの内端から屈曲し、外板部１３Ａ〜１３Ｄに沿って下向きに延びるように折り曲げられる。中板部１５Ａ〜１５Ｄの寸法（高さ）は、外板部１３Ａ〜１３Ｄの寸法以下に設定される。中板部１５Ａ〜１５Ｄと上板部１４Ａ〜１４Ｄの境界部分には、切断線２０の両側から打抜部２５にかけて横方向に延びるように、リード罫からなる折曲線２６が設けられている。上板部１４Ａ〜１４Ｄの先端縁中央には、凹所形成部２１の内側に位置するＵ字状の切欠部２７が設けられている。また、横方向に隣接する中板部１５Ａ〜１５Ｄの境界部分には、リード罫からなる３本の折曲線２８ａ〜２８ｃが平行に延びるように設けられている。中央の折曲線２８ａは、外板部１３Ａ〜１３Ｄの折曲線１８に対して直線上に位置するように、打抜部２５の底辺中央から縦方向に延びるように設けられている。左側の折曲線２８ｂは、打抜部２５の底辺左側端部から縦方向に延びるように設けられている。右側の折曲線２８ｂは、打抜部２５の底辺右側端部から縦方向に延びるように設けられている。折曲線２８ａ〜２８ｃの間は一対の折込部２９を構成し、組立状態で外側の外板部１３Ａ〜１３Ｄの角部に向けて延びる。
【００１８】
外板部１３Ａ〜１３Ｄの下縁には、凹所形成部２１の両側に位置するように下板部１６Ａ〜１６Ｄが連設されている。組立状態で下板部１６Ａ〜１６Ｄは、外板部１３Ａ〜１３Ｄの下端から屈曲し、上板部１４Ａ〜１４Ｄに沿って内向きに延びるように折り曲げられる。下板部１６Ａ〜１６Ｄの寸法（横幅）は、上板部１４Ａ〜１４Ｄの寸法より段ボールシートの肉厚分大きく設定される。下板部１６Ａ〜１６Ｄと外板部１３Ａ〜１３Ｄの境界部分には、打抜部２２の両側から横方向外向きに延びるように、リード罫からなる折曲線３０が設けられている。また、横方向に隣接する下板部１６Ａ〜１６Ｄの境界部分には、組立状態での干渉を防止するための打抜部３１が設けられている。この打抜部３１は、外板部１３Ａ〜１３Ｄの折曲線１８の端部を頂角とする直角二等辺三角形状に形成されている。
【００１９】
下板部１６Ａ〜１６Ｄの下縁には、内板部１７Ａ〜１７Ｄが連設されている。組立状態で内板部１７Ａ〜１７Ｄは、下板部１６Ａ〜１６Ｄの内端から屈曲し、中板部１５Ａ〜１５Ｄに沿って上向きに延びるように折り曲げられる。内板部１７Ａ〜１７Ｄの寸法（高さ）は、中板部１５Ａ〜１５Ｄの寸法より小さく、先端縁が中板部１５Ａ〜１５Ｄの上端と下端の間に位置するように設定される。内板部１７Ａ〜１７Ｄと下板部１６Ａ〜１６Ｄの境界部分には、打抜部２２の両側から打抜部３１にかけて横方向に延びるように、リード罫からなる折曲線３２が設けられている。この折曲線３２に対して直線上に位置するように折曲線２３ｄが形成される。また、横方向に隣接する中板部１５Ａ〜１５Ｄの境界部分には、組立状態で外向きに屈曲させるための折曲線３３が設けられている。この折曲線３３は、表ライナの側から罫を入れて形成した逆罫線からなり、外板部１３Ａ〜１３Ｄの折曲線１８に対して直線上に位置するように、打抜部３１の底辺中央から縦方向に延びるように設けられている。また、左右の端部に位置する内板部１７Ａ，１７Ｄには、組立状態で互い係合する係合段部３４ａ，３４ｂが設けられている。
【００２０】
壁部１２Ａ〜１２Ｄからなる枠体１１には、糊付けすることなく組立状態を保持するためのロック部が設けられている。このロック部は、左側端部の壁部１２Ａに連設した一対の差込片３５Ａ，３５Ｂを備える。一方の差込片３５Ａは外板部１３Ａの側縁に連設され、その境界部分に汎用罫線からなる折曲線３６が設けられている。他方の差込片３５Ｂは中板部１５Ａの側縁に連設され、その境界部分にリード罫からなる折曲線３７が設けられている。これら差込片３５Ａ，３５Ｂは、組立状態で隣接する壁部１２Ｄの外板部１３Ｄと中板部１５Ｄとの間に差し込まれる。
【００２１】
また、ロック部は、外板部１３Ａに連続する差込片３５Ａに設けたロック孔３８と、外板部１３Ｄの側縁に連設したロック片４０とを備える。ロック孔３８は、折曲線３６に対して平行に延びるスリットからなる。本実施形態のロック孔３８には、折曲線３６を越えて外板部１３Ａにかけて延び、枠体１１を分解する際にロック片４０を露出させるための半円形状の打抜部３９が連続して設けられている。ロック片４０は台形状に形成され、外板部１３Ｄとの境界部分には汎用罫線からなる折曲線４１が設けられている。本実施形態のロック片４０は、外板部１３Ｄに対して大きく外向きに撓ませることができるように、折曲線４１の両端から横方向に延びる一対の切断線４２が設けられ、その端部に汎用罫線からなる折曲線４３が設けられている。
【００２２】
この枠体１１を組み立てる際には、例えば外板部１３Ａ〜１３Ｄに対して上板部１４Ａ〜１４Ｄおよび中板部１５Ａ〜１５Ｄを内向きに折り曲げた後、外板部１３Ａ〜１３Ｄに対して下板部１６Ａ〜１６Ｄおよび内板部１７Ａ〜１７Ｄを更に内向きに折り曲げ、多重壁構造の各壁部１２Ａ〜１２Ｄを組み立てる。その後、各壁部１２Ａ〜１２Ｄを折り曲げるとともに、壁部１２Ａに対して差込片３５Ａ，３５Ｂを折り曲げ、これら差込片３５Ａ，３５Ｂを壁部１２Ｄ内に差し込んだ後、ロック孔３８にロック片４０を外側から挿入する。
【００２３】
これにより、図１に示すように、一対の壁部１２Ａ，１２Ｃが所定間隔をあけて対向し、他の一対の壁部１２Ｂ，１２Ｄが所定間隔をあけて対向する。また、位置決め凸部１９が突出した上端側、および、凹所形成部２１により凹部４６が形成された下端側を開口した、両端開口４４，４５の枠体１１が組み立てられる。この組立状態において内板部１７Ａ〜１７Ｄは、下端（一端）開口４５から上端（他端）開口４４に向けて延び、上端縁が全高の中間に位置する。凹部４６は、凹所形成部２１の折曲線２３ａ〜２３ｄにより、打抜部２２，２２間が外板部１３Ａ〜１３Ｄに対して内向きに傾斜した状態をなす。
【００２４】
図３（Ｂ）に示すように、パッド４７は、枠体１１の長辺側である壁部１２Ａ，１２Ｃに沿って延びる第１および第２の物品配置部４８Ａ，４８Ｂを備える。各物品配置部４８Ａ，４８Ｂは、物品を収容配置する各一対の収容部４９，４９を備える。収容部４９は、平面視長方形状をなし、その内縁に内向きに突出する突片５０を備える。収容部４９の枠と突片５０との境界部分には、リード罫からなる折曲線５１が設けられている。また、折曲線５１の角部から突片５０の内縁角部にかけて切断線５２を設けることにより、各突片５０が区画されている。
【００２５】
第１および第２の物品配置部４８Ａ，４８Ｂは、隣り合う長辺側で支柱部５３を介して連続している。各物品配置部４８Ａ，４８Ｂと支柱部５３との境界部分には、リード罫からなる折曲線５４が設けられている。本実施形態の支柱部５３は、物品配置部４８Ａ，４８Ｂに連続した一対の屈曲板５５Ａ，５５Ｂと、これら屈曲板５５Ａ，５５Ｂに連続した１面の連続板５６とを備える。屈曲板５５Ａ，５５Ｂと連続板５６の境界部分には、逆罫線からなる折曲線５７が設けられている。組立状態で支柱部５３は、物品配置部４８Ａ，４８Ｂの下部において、連続板５６を底辺とした三角筒状をなすように折り曲げられる。
【００２６】
第１および第２の物品配置部４８Ａ，４８Ｂには、支柱部５３を連設した対向縁を除く外周縁に係止片５８が連設されている。物品配置部４８Ａ，４８Ｂと係止片５８の境界部分には、リード罫からなる折曲線５９が設けられている。各係止片５８は、折曲線５９から先端縁までの寸法が、枠体１１の内板部１７Ａ〜１７Ｄの寸法より小さい台形状に形成されている。
【００２７】
本実施形態のパッド４７は、第１および第２の物品配置部４８Ａ，４８Ｂを隣接配置した組立状態の横幅を、枠体１１の壁部１２Ａ，１２Ｃ間の内法幅より大きくしている。即ち、物品配置部４８Ａ，４８Ｂの各横幅Ｗ１を、枠体１１の内法幅に相当する中板部１５Ｂの両側の折曲線２８ｂ，２８ｃ間の横幅Ｗ２の半分より大きく設定している（Ｗ１＞Ｗ２／２）。また、各物品配置部４８Ａ，４８Ｂの全長Ｌ１を、枠体１１の中板部１５Ｃの両端の折曲線２８ｂ，２８ｃ間の横幅Ｌ２より大きく設定している（Ｌ１＞Ｌ２）。
【００２８】
このパッド４７を組み立てる際には、例えば図１に示すように、各物品配置部４８Ａ，４８Ｂに対して各係止片５８を下向きに折り曲げる。また、折曲線５７，５９に沿って支柱部５３を折り曲げ、物品配置部４８Ａ，４８Ｂの対向縁を突き合わせた状態とする。
【００２９】
そして、枠体１１に対してパッド４７を組み付ける際には、枠体１１の上端開口４４からパッド４７を枠体１１内に配置し、各係止片５８を枠体１１の内板部１７Ａ〜１７Ｄと中板部１５Ａ〜１５Ｄとの間に挿入する。これにより図２に示すように、パッド４７の係止片５８は、内板部１７Ａ〜１７Ｄの外面側において、中板部１５Ａ〜１５Ｄとの間に挟み込まれた状態で係止される。また、係止片５８は、中板部１５Ａ〜１５Ｄを構成する段ボールシートの剛度（腰）により、弾性的に外向きに押圧され、内板部１７Ａ〜１７Ｄとの間に圧接される。また、物品配置部４８Ａ，４８Ｂと壁部１２Ｂ，１２Ｄの寸法設定Ｗ１，Ｗ２およびＬ１，Ｌ２により、パッド４７の係止片５８が枠体１１の中板部１５Ａ〜１５Ｄおよび内板部１７Ａ〜１７Ｄに密着した状態をなす。
【００３０】
この収容箱１０は、従来の箱本体に相当する部材が、底壁が無い両端開口４４，４５の枠体１１からなる。よって、底壁分のブランク面積を削減できるため、コストダウンを図ることができる。また、パッド４７は、係止片５８を枠体１１の内板部１７Ａ〜１７Ｄに係止することにより、宙吊り状態で配置されるため、外力によって物品に加わる衝撃の緩衝性を損なうことはない。しかも、パッド４７を枠体１１に係止するために複雑な係止構造は設けていないため、組立作業性を向上できる。
【００３１】
また、枠体１１の壁部１２Ａ〜１２Ｄは、外板部１３Ａ〜１３Ｄと中板部１５Ａ〜１５Ｄと内板部１７Ａ〜１７Ｄとを備える多重壁構造としているため、剛性を高めることができる。しかも、パッド４７は、一対の物品配置部４８Ａ，４８Ｂ間に三角柱形状の支柱部５３が形成され、この支柱部５３が対向する壁部１２Ｂ，１２Ｄ間を延びるため、底壁が無い枠体１１の横方向の剛性を更に高めることができる。
【００３２】
（第２実施形態）
図４は第２実施形態の収容箱１０を示す。この収容箱１０は、パッド４７の支柱部５３を一対の屈曲板５５Ａ，５５Ｂだけで構成した点で、第１実施形態と相違する。この第２実施形態のパッド４７は、連続した屈曲板５５Ａ，５５Ｂの境界部分に、屈曲性を向上するための折曲線６０が設けられている。この折曲線６０は、裏ライナ側から刃を入れて、裏ライナおよび中しんを切断し、表ライナは切断しない連続部としたハーフカット線からなる。なお、中しんは、一部のみが切断される場合および切断されない場合もある。
【００３３】
この第２実施形態のパッド４７を用いた収容箱１０は、第１実施形態と同様の作用および効果を得ることができる。また、パッド４７の支柱部５３に連続板５６を設けていないため、その分ブランク面積を削減できるため、更にコストダウンを図ることができる。
【００３４】
（第３実施形態）
図５は第３実施形態の収容箱１０を示す。この収容箱１０は、枠体１１にパッド４７を吊り下げて配置するためのフック部６２をパッド４７に更に設けた点で、第１実施形態と相違する。具体的には、枠体１１には、積み重ね用の位置決め凸部１９を設けることにより、組立状態の上板部１４Ａ〜１４Ｄに、外板部１３Ａ〜１３Ｄと中板部１５Ａ〜１５Ｄの間に連通する開口部６１が形成される。パッド４７には、長辺側の上板部１４Ｂ，１４Ｄの開口部６１に対応するようにフック部６２が形成されている。フック部６２は、物品配置部４８Ａ，４８Ｂから上向きに屈曲されるアーム部６３と、アーム部６３の上端に連設された略Ｌ字形状の挿入係止部６４とを備える。
【００３５】
このようにした第３実施形態の収容箱１０は、第１実施形態と同様に、パッド４７を枠体１１内に配置し、係止片５８を内板部１７Ａ〜１７Ｄの外面側に挿入して係止するとともに、挿入係止部６４を開口部６１に挿入して係止する。これにより、枠体１１内においてパッド４７は、下側で内板部１７Ａ〜１７Ｄに支持され、上側でフック部６２に吊り下げ状態で支持される。そのため、パッド４７に配置する物品を安定状態で収容できる。
【００３６】
なお、本発明の収容箱１０は、前記実施形態の構成に限定されず、種々の変更が可能である。
【００３７】
例えば、パッド４７の支柱部５３は、組立状態で物品配置部４８Ａ，４８Ｂの下側に位置するように折り曲げたが、上側に位置するように折り曲げる構成としてもよい。また、第１実施形態に示す三角筒状および第２実施形態に示す谷折り状に限らず、その断面形状は希望に応じて変更が可能である。また、パッド４７の収容部４９は、切り起こしにより立設した仕切壁によって物品を区画する構成としてもよいうえ、設けない構成としてもよい。
【００３８】
また、枠体１１の積み重ね用の位置決め凸部１９と凹部４６とは設けない構成としてもよい。また、組立状態を保持するためのロック部は、差込片３５Ａ，３５Ｂ、ロック孔３８およびロック片４０からなる構成に限らず、希望に応じて変更が可能である。また、枠体１１の壁部１２Ａ〜１２Ｄは、外板部１３Ａ〜１３Ｄ、上板部１４Ａ〜１４Ｄ、中板部１５Ａ〜１５Ｄ、下板部１６Ａ〜１６Ｄおよび内板部１７Ａ〜１７Ｄからなる構成に限らず、外板部１３Ａ〜１３Ｄの下端縁に内板部１７Ａ〜１７Ｄを連設しただけの構成としてもよい。また、壁部１２Ａ〜１２Ｄは、一部を各実施形態に示す多重壁構造とし、残りを単壁構造として構成することもできる。
【００３９】
また、第３実施形態では、パッド４７のフック部６２を、枠体１１の長辺側の上板部１４Ｂ，１４Ｄに挿入係止する構成としたが、短辺側の上板部１４Ａ，１４Ｃに挿入係止する構成としてもよいうえ、全ての上板部１４Ａ〜１４Ｄに挿入係止する構成としてもよい。また、開口部６１は、積み重ね用の位置決め凸部１９により形成される抜部を利用したが、希望位置に専用で設けてもよい。
【００４０】
また、収容箱１０は、平面視四角形状に限らず、希望の多角形状とすればよい。また、枠体１１の内板部１７Ａ〜１７Ｄは、全ての壁部１２Ａ〜１２Ｄに設ける構成に限らず、２以上の壁部１２Ａ〜１２Ｄに設ける構成とすればよい。また、パッド４７の係止片５８は、枠体１１の内板部１７Ａ〜１７Ｄの全てに対応するように設ける構成に限らず、少なくとも一対設ける構成とすればよい。勿論、枠体１１の内板部およびパッド４７の係止片の数および形成箇所は、形成する収容箱１０の平面視形状に応じて、パッド４７を安定した状態で配置できるように設定する。
【００４１】
そして、前記実施形態では、紙製の段ボールシートを打ち抜いて収容箱１０を形成したが、樹脂製の段ボールシートを打ち抜いて形成してもよい。また、段ボールシートに限られず、単一の厚紙や樹脂シートにより形成してもよい。
【符号の説明】
【００４２】
１０…収容箱
１１…枠体
１２Ａ〜１２Ｄ…壁部
１３Ａ〜１３Ｄ…外板部
１４Ａ〜１４Ｄ…上板部
１５Ａ〜１５Ｄ…中板部
１６Ａ〜１６Ｄ…下板部
１７Ａ〜１７Ｄ…内板部
４４…上端開口
４５…下端開口
４７…パッド
４８Ａ，４８Ｂ…物品配置部
４９…収容部
５３…支柱部
５５Ａ，５５Ｂ…屈曲板
５６…連続板
５８…係止片
【図１】
2015174676.tif 000003
【図２】
2015174676.tif 000004
【図３】
2015174676.tif 000005
【図４】
2015174676.tif 000006
【図５】
2015174676.tif 000007